(57)【要約】【課題】ヒトの一日特定成分摂取量が起床時の排泄尿のみの測定により可能とし、測定者の社会生活・家庭生活に弊害が生じることなく、簡易かつ正確に一日特定成分摂取量を測定することができる摂取量測定装置及びその分析方法を提供する。【解決手段】  本発明では、ヒトが排泄する起床後排尿した時の尿量と特定成分の濃度とを乗じて起床後特定成分排泄量を算出し、就寝前の放尿から起床後排尿までの経過時間を取得し、この経過時間を予め設定されている規定時間との比に基づいて規定時間当量へ換算し、ヒトが一日に摂取した特定成分量を推定算出することにより、生活習慣を変えることなく、生活習慣管理に有益な情報を得ることを可能とした。  【選択図】  図１
2006126184.tif 000002
【特許請求の範囲】
【請求項１】
予め定められた就寝時間帯の前で最後に排尿した時刻から前記就寝時間帯の後で最初に排尿した時刻までの経過時間である就寝経過時間と、前記就寝経過時間の間に排泄された尿の尿量と、前記尿の特定成分濃度とを含む尿データを取得するデータ取得部と、取得された前記尿量と前記特定成分濃度と予め定められた規定時間とから、ヒトが規定時間に排泄する特定成分量である特定成分排泄当量を算出する特定成分排泄当量算出部と、算出された前記特定成分排泄当量からヒトが一日に摂取する一日特定成分摂取量を推定する特定成分摂取量演算部と、前記一日特定成分摂取量を含む測定結果を出力する出力部とを有することを特徴とする成分摂取量測定装置。
【請求項２】
前記データ取得部が、排尿した尿量と特定成分濃度とを測定する排泄物計測部と、就寝前の排尿時刻と起床後排尿時刻までの前記就寝経過時間を取得する時間計測部と、を有することを特徴とする請求項１に記載の成分摂取量測定装置。
【請求項３】
前記特定成分排泄当量算出部は、前記就寝時間帯に排尿した時の尿量に特定成分濃度を乗じて算出される就寝時間帯特定成分排泄量と、前記起床時間帯の最初の尿量に特定成分濃度を乗じて算出される起床後特定成分排泄量とを加算して加算特定成分排泄量を求め、さらに前記加算特定成分排泄量を前記就寝経過時間と前記規定時間との比に基づいて、前記特定成分排泄当量へ換算することを特徴とする請求項１に記載の成分摂取量測定装置。
【請求項４】
前記特定成分摂取量演算部が、予め求められている特定成分排泄当量と一日特定成分摂取量との相関関係により、算出された前記特定成分排泄当量から前記一日特定成分摂取量を求める演算を行なうことを特徴とする請求項１乃至４のいずれか一項に記載の成分摂取量測定装置。
【請求項５】
前記特定成分摂取量演算部は、予め求められている特定成分排泄当量と、ヒトが一日に排泄する特定成分量である一日特定成分排泄量との相関関係により、算出された前記特定成分排泄当量から一日特定成分排泄量を算出し、さらに、あらかじめ求められている一日特定成分排泄量とヒトが一日に摂取する特定成分量である一日特定成分摂取量との相関関係により、算出された前記一日特定成分排泄量から一日特定成分摂取量を求める演算を行なうことを特徴とする請求項１乃至４のいずれか一項に記載の成分摂取量測定装置。
【請求項６】
前記特定成分摂取量演算部は、予め求められている特定成分排泄当量を日移動平均した平均特定成分排泄当量と一日特定成分摂取量を日移動平均した平均一日特定成分摂取量との相関関係により、算出された前記平均特定成分排泄当量から平均一日特定成分摂取量を求める演算を行なうことを特徴とする請求項１乃至４のいずれか一項に記載の成分摂取量測定装置。
【請求項７】
前記特定成分摂取量演算部は、予め求められている平均特定成分排泄当量と一日特定成分排泄量を日移動平均した平均一日特定成分排泄量との相関関係により、平均特定成分排泄当量から平均一日特定成分排泄量を算出し、さらに、予め求められている平均一日特定成分排泄量と平均一日特定成分摂取量との相関関係により、算出された平均一日特定成分排泄量から一日に摂取する平均一日特定成分摂取量を求める演算、のいずれかの演算を行なうことを特徴とする請求項１乃至４のいずれか一項に記載の成分摂取量測定装置。
【請求項８】
前記特定成分摂取量演算部は、前記特定成分排泄当量または前記一日特定成分排泄量から算出された前記平均一日特定成分摂取量を、算出した日から１日ないし２日遡った日のものとして算出を行なうことを特徴とする請求項５乃至８のいずれかに記載の成分摂取量測定装置。
【請求項９】
前記出力部は、前記就寝時間帯特定成分排泄量、前記起床後特定成分排泄量、前記加算特定成分排泄量、前記特定成分排泄当量、前記一日特定成分摂取量、前記平均一日特定成分摂取量、前記平均特定成分排泄量、前記平均一日特定成分排泄量、の各項目のうちいずれか１つ以上の項目を出力する単純出力部、または、前記就寝時間帯特定成分排泄量、前記起床後特定成分排泄量、前記特定成分排泄当量、前記一日特定成分摂取量、前記平均一日特定成分摂取量、食生活の状況に関するアドバイス、の各項目のうちいずれか１つ以上の項目を経日出力表示する経過出力部、のいずれか１つ以上を有することを特徴とする請求項５乃至９のいずれか一項に記載の成分摂取量測定装置。
【請求項１０】
前記単純出力部は、前記特定成分としてナトリウムの前記一日特定成分摂取量または前記平均一日特定成分摂取量を求め、前記ナトリウムは塩化ナトリウムに換算した塩化ナトリウム摂取量に換算して開示することを特徴とする請求項１０に記載の成分摂取量測定装置。
【請求項１１】
前記特定成分は、ナトリウムおよびカリウムおよびカルシウムのいずれか１つ以上であることを特徴とする請求項１から１１のいずれかに記載の成分摂取量測定装置。
【請求項１２】
予め定められた就寝時間帯の前で最後に排尿した時刻から前記就寝時間帯の後で最初に排尿した時刻までの経過時間である就寝経過時間と、前記就寝経過時間の間に排泄された尿の尿量と導電率を含む尿データを取得するデータ取得部と、取得された前記尿量と前記導電率と予め設定されている規定時間とから、ヒトが規定時間に排泄する尿量と導電率を乗じた値である導電排泄当量を算出する導電排泄当量算出部と、予め求められている前記導電排泄当量とヒトが一日に摂取する特定成分量である一日特定成分摂取量との相関関係より、前記導電排泄当量からヒトが一日に摂取する一日特定成分摂取量を推定する特定成分摂取量演算部と、測定結果を出力する出力部と、を有することを特徴とする成分摂取量測定装置。
【請求項１３】
就寝時間帯の尿量と特定成分濃度から求められる特定成分排泄量、就寝経過時間を含む尿データと予め設定されている規定時間とから、ヒトが規定時間に排泄する特定成分量である特定成分排泄当量を算出し、予め求められている特定成分排泄当量とヒトが一日に摂取する特定成分量である一日特定成分摂取量との相関関係より、算出された前記特定成分排泄当量から前記一日特定成分摂取量を推定することを特徴とする成分摂取量測定方法。
【発明の詳細な説明】
【技術分野】
【０００１】
本発明は、食物に含まれる特定成分が食事により体内に取り込まれ尿によって体外に排出される量を求めることによって、その特定成分の摂取量を推定することに係わる。好適には、起床時尿に含まれる特定成分量を測定して、摂取した特定成分量を経時的に推定することによって、家庭での健康管理にも適用可能な尿分析方法に関する発明である。
【背景技術】
【０００２】
近年、糖尿病や高血圧症といった食事や運動などの生活習慣に依存する生活習慣病といわれる諸症状の発生を防止するための予防策が求められてきている。これらの諸症状の発生は被験者の生活習慣に依存するといわれているが、特にその中の高血圧症については、食事などで摂取される特定成分の中でも、本発明の好適な適用例である塩分（塩化ナトリウム）の量が最も関係するといわれている。
【０００３】
そのため、日本国の厚生労働省は１日当たりの塩分（塩化ナトリウム）摂取量について、健常者は１０ｇ以下、高血圧症患者は７ｇ以下というガイドラインを提示している
【０００４】
従来の尿中の特定成分排泄量からその摂取量を推定する方法に関しては、排泄された尿の塩分濃度の測定値と一日の排尿量とから求められる一日の塩分排泄量から演算によって塩分摂取量を求めるものがある（例えば、特許文献１参照）。
【０００５】
このように、排泄された尿の塩分濃度から塩分排泄量を求めるためには観察期間に排泄される全ての尿の総量を知ることが必要となる。排泄される尿の総量は被験者の水分摂取量や体調や運動量などの生活習慣に依存する因子によって変化するものであるが、この例の場合は記載された内容で判断する限り、性別、年齢、体重、といったこれら生活習慣にそれ程依存しない因子から排泄される尿の総量を一律的に推定して代用している。従って、それらに基づいて得られる塩分摂取量も生活習慣の影響が盛り込みきれていない、誤差を含むものとなる。
【０００６】
それを防止するために、推定を行なう観察期間に排泄された全ての尿の量を知るには、観察期間に排泄される複数回の排尿量をその都度測定するか、収集して貯留しておく方法があるが、その場合は入院期間中のように排泄や貯蔵の管理が行なえる環境でなければ実施が困難である。。
【０００７】
また、観察期間に排泄された全ての尿を収集する代わりに、排尿のたびに排泄された尿の一定比率分だけを収集して全ての尿の量を推定して求めようとするものもある（例えば、特許文献２参照）。
【０００８】
しかし、この例の場合、収集量をコンパクト化できるため、貯蔵性は良好になるものの、尿の一部を分取する作業は一般的なトイレ行為としては異質のものであり、継続的な測定を促すことには難点があった。特に特定成分が塩分の場合は対象となる高血圧症の患者は高齢者が多く、そのような患者にとってその操作性は優れているとは言いがたいものである。
【０００９】
また、特定成分の排泄量から摂取量を推定する他の方法として、特定成分が塩分の場合、排泄された早朝一番尿に含まれる塩分量（以下、一番尿塩分量と呼ぶ）を利用して、前日の摂取塩分量を推定する方法もある（例えば、特許文献３参照）。
【００１０】
しかし、この場合も得られる摂取塩分量と実際に摂取された摂取塩分量との相関が低く、塩分摂取量推定値の信頼性は高くない。
【００１１】
即ち、起床後排泄される一番尿中は被験者の身体の生理的活動が安定しているため摂取された特定成分の尿への排泄される割合である体内排泄率も安定しているが、日中の前記体内排泄率は身体活動量等に日間の変動があるためその影響を受けてばらつくことが実験で確かめられている。
【００１２】
しかしながら、この公報記載の方法は摂取量を推定するための基礎となる一日の排泄量を一番尿塩分量から直接的に推定しているため、前述した日中の身体活動量等の日間の変動によるばらつきが考慮されていないことになる。その結果、得られる一日の排泄量はこのことに起因する誤差を含むことになる。
【００１３】
【特許文献１】特開平１０−２１３５８４号公報
【特許文献２】特開２００３−１２１４３４号公報
【特許文献３】特開２００２−２６７６６２号公報
【発明の開示】
【発明が解決しようとする課題】
【００１４】
本発明は、上記問題を解決するためになされたもので、本発明の課題は、尿中に排泄される特定成分量を測定することによって食事等で摂取された特定成分の量を高精度に推定することを、簡便に且つ被験者の社会生活・家庭生活に弊害が生じないようにして可能とするものである。
【課題を解決するための手段】
【００１５】
上記目的を達成するために請求項１記載の発明は、予め定められた就寝時間帯の前で最後に排尿した時刻から前記就寝時間帯の後で最初に排尿した時刻までの経過時間である就寝経過時間と、前記就寝経過時間の間に排泄された尿の尿量と、前記尿の特定成分濃度とを含む尿データを取得するデータ取得部と、取得された前記尿量と前記特定成分濃度と予め定められた規定時間とから、ヒトが規定時間に排泄する特定成分量である特定成分排泄当量を算出する特定成分排泄当量算出部と、算出された前記特定成分排泄当量からヒトが一日に摂取する一日特定成分摂取量を推定する特定成分摂取量演算部と、前記一日特定成分摂取量を含む測定結果を出力する出力部とを有することを特徴とする。
【００１６】
そのことにより、体が安静であることから日々の活動による体内代謝に対する撹乱要因の影響が発生しにくい就寝時間帯に排泄された特定成分量から特定成分排泄当量を求めさらに特定成分摂取量を求めているため、得られた特定成分排泄量は変動要因の影響が小さいものとなり、食事に伴って摂取された特定成分排泄量をより正確に把握出来る。また就寝時間帯の尿を測定対象としているため、一般家庭でもより多くの測定機会を得やすくなり、多くのデータを収集できるようになるため、より正確な健康管理が可能となる。
【００１７】
上記目的を達成するために請求項２記載の発明は、前記データ取得部が、排尿した尿量と特定成分濃度とを測定する排泄物計測部と、就寝前の排尿時刻と起床後排尿時刻までの前記就寝経過時間を取得する時間計測部と、を有することを特徴とする。
【００１８】
そのことにより、特定成分の排泄量から該特定成分の摂取量をより正確に求める基本データを被験者の特別操作を必要とせずに取得する事を可能としている。
【００１９】
上記目的を達成するために請求項３記載の発明は、前記特定成分排泄当量算出部は、前記就寝時間帯に排尿した時の尿量に特定成分濃度を乗じて算出される就寝時間帯特定成分排泄量と、前記起床時間帯の最初の尿量に特定成分濃度を乗じて算出される起床後特定成分排泄量とを加算して加算特定成分排泄量を求め、さらに前記加算特定成分排泄量を前記就寝経過時間と前記規定時間との比に基づいて、前記特定成分排泄当量へ換算することを特徴とする。
【００２０】
そのことにより、前記特定成分摂取量演算部において、前記特定成分排泄当量から前記一日特定成分摂取量を求める各種推定式が容易となる。
【００２１】
上記目的を達成するために請求項４記載の発明は、前記特定成分摂取量演算部が、予め求められている特定成分排泄当量と一日特定成分摂取量との相関関係により、算出された前記特定成分排泄当量から前記一日特定成分摂取量を求める演算を行なうことを特徴とする。
【００２２】
そのことにより、得られる前記一日特定成分摂取量の精度が向上し、適切に正しい食事状況を把握することができる。
【００２３】
上記目的を達成するために請求項５記載の発明は、前記特定成分摂取量演算部は、予め求められている特定成分排泄当量と、ヒトが一日に排泄する特定成分量である一日特定成分排泄量との相関関係により、算出された前記特定成分排泄当量から一日特定成分排泄量を算出し、さらに、あらかじめ求められている一日特定成分排泄量とヒトが一日に摂取する特定成分量である一日特定成分摂取量との相関関係により、算出された前記一日特定成分排泄量から一日特定成分摂取量を求める演算を行なうことを特徴とする。
【００２４】
そのことにより、前記特定成分排泄量から前記特定成分摂取量の精度が向上する。
【００２５】
上記目的を達成するために請求項６記載の発明は、前記特定成分摂取量演算部は、予め求められている特定成分排泄当量を日移動平均した平均特定成分排泄当量と一日特定成分摂取量を日移動平均した平均一日特定成分摂取量との相関関係により、算出された前記平均特定成分排泄当量から平均一日特定成分摂取量を求める演算を行なうことを特徴とする。
【００２６】
そのことにより、前記一日特定成分摂取量の精度が向上し、適切に正しい食事状況を把握することができる。
【００２７】
上記目的を達成するために請求項７記載の発明は、前記特定成分摂取量演算部は、予め求められている平均特定成分排泄当量と一日特定成分排泄量を日移動平均した平均一日特定成分排泄量との相関関係により、平均特定成分排泄当量から平均一日特定成分排泄量を算出し、さらに、予め求められている平均一日特定成分排泄量と平均一日特定成分摂取量との相関関係により、算出された平均一日特定成分排泄量から一日に摂取する平均一日特定成分摂取量を求める演算、のいずれかの演算を行なうことを特徴とする。
【００２８】
そのことにより、前記一日特定成分摂取量の精度が向上し、適切に正しい食事状況を把握することができる。
【００２９】
上記目的を達成するために請求項８記載の発明は、前記特定成分摂取量演算部は、前記特定成分排泄当量または前記一日特定成分排泄量から算出された前記平均一日特定成分摂取量を、算出した日から１日ないし２日遡った日のものとして算出を行なうことを特徴とする。
【００３０】
そのことにより、前記一日特定成分摂取量の精度が向上し、適切に正しい食事状況を把握することができる。
【００３１】
上記目的を達成するために請求項９記載の発明は、前記出力部は、前記就寝時間帯特定成分排泄量、前記起床後特定成分排泄量、前記加算特定成分排泄量、前記特定成分排泄当量、前記一日特定成分摂取量、前記平均一日特定成分摂取量、前記平均特定成分排泄量、前記平均一日特定成分排泄量、の各項目のうちいずれか１つ以上の項目を出力する単純出力部、または、前記就寝時間帯特定成分排泄量、前記起床後特定成分排泄量、前記特定成分排泄当量、前記一日特定成分摂取量、前記平均一日特定成分摂取量、食生活の状況に関するアドバイス、の各項目のうちいずれか１つ以上の項目を経日出力表示する経過出力部、のいずれか１つ以上を有することを特徴とする。
【００３２】
そのことにより、前記単純出力部は計測場所での表示や外部への出力に対応し、また前記経過出力部はそのトレンド変化を計測者はモニターすることにより、正しい食事管理を実施できているかを容易に把握することができる。
【００３３】
上記目的を達成するために請求項１０記載の発明は、前記単純出力部は、前記特定成分としてナトリウムの前記一日特定成分摂取量または前記平均一日特定成分摂取量を求め、前記ナトリウムは塩化ナトリウムに換算した塩化ナトリウム摂取量に換算して開示することを特徴とする。
【００３４】
そのことにより、高血圧症の指標として一般的に使われている塩化ナトリウムの摂取量として知ることができるため、被験者自身が測定結果を改善指標とすることが可能となる。
【００３５】
上記目的を達成するために請求項１１記載の発明は、前記特定成分は、ナトリウムおよびカリウムおよびカルシウムのいずれか１つ以上を出力することを特徴とする。
【００３６】
そのことにより、高血圧症の悪化と改善の代替指標であるナトリウムとカリウム、および特に閉経後の女性で問題視されることの多い骨粗しょう症の在宅管理が可能となる。
【００３７】
上記目的を達成するために請求項１２記載の発明は、予め定められた就寝時間帯の前で最後に排尿した時刻から前記就寝時間帯の後で最初に排尿した時刻までの経過時間である就寝経過時間と、前記就寝経過時間の間に排泄された尿の尿量と導電率を含む尿データを取得するデータ取得部と、取得された前記尿量と前記導電率と予め設定されている規定時間とから、ヒトが規定時間に排泄する尿量と導電率を乗じた値である導電排泄当量を算出する導電成分排泄当量算出部と、予め求められている前記導電排泄当量とヒトが一日に摂取する特定成分量である一日特定成分摂取量との相関関係より、前記導電排泄当量からヒトが一日に摂取する一日特定成分摂取量を推定する特定成分摂取量演算部と、測定結果を出力する出力部と、を有することを特徴とする。
【００３８】
そのことにより、尿の特定成分量を推定するために、高価な成分濃度センサーをの代わりに構造が簡単で安価な通常電極を使用して得られる尿の導電率を用いているため、装置が安価でメンテナンスも容易となるため、特に在宅の健康管理用として最適である。
【００３９】
上記目的を達成するために請求項１３記載の発明は、就寝時間帯の尿量と特定成分濃度から求められる特定成分排泄量、就寝経過時間を含む尿データと予め設定されている規定時間とから、ヒトが規定時間に排泄する特定成分量である特定成分排泄当量を算出し、予め求められている特定成分排泄当量とヒトが一日に摂取する特定成分量である一日特定成分摂取量との相関関係より、算出された前記特定成分排泄当量から前記一日特定成分摂取量を推定することを特徴とする。
【００４０】
そのことにより、昼間は職場に行くような被験者であっても確実に在宅しているタイミングを利用して採尿を実施できる。すなわち、通常の生活習慣を変えることなく、生活習慣管理に有益な情報を得ることを可能とした。睡眠時間中は体が安静状態であることから被験者の日々の活動による撹乱要因の影響が発生しにくいため、得られた特定成分排泄量は変動要因の影響が小さくなる。その結果、特定成分の摂取量の測定結果は実際に被験者が食事に伴って摂取した摂取量との相関関係が高いものとなる。。
【発明の効果】
【００４１】
本発明によれば、日々の生活の中で排尿された尿中の特定成分を測定することによって、生活習慣病の予防や管理に必要な生活習慣改善情報を得ることができるという効果がある。
【発明を実施するための最良の形態】
【００４２】
本発明の実施の形態に関し、以下に図を用いて詳説する。
【実施例】
【００４３】
図１は、本発明の成分摂取量測定装置の第１実施形態（実施例１）における構成とデータの処理の流れを示す図である。本実施例は尿データの取得を装置自身が測定を行って取得するのではなく、外部からの入力によって取得する例である。
【００４４】
構成はデータ取得部、特定成分排泄当量算出部、特定成分摂取量演算部、出力部の４部から構成される。データ取得部は排尿データ取得部と観測時間取得部の２部からなり、観測時間取得部は排尿中の特定成分の排泄量測定の対象とする時間帯として別途設定される就寝時間帯の開始時刻前に行なわれた排尿のうち最後に排尿された時刻から就寝時間帯終了時刻後に行なわれた最初の排尿の時刻までの経過時間である就寝経過時間ｔwを取得する。
【００４５】
排尿データ取得部は就寝時間帯終了時刻後に行なわれた最初の排尿を含む就寝経過時間ｔwの間に行なわれた全ての排尿の総量である全排尿量Ｖtと、前記の全ての排尿の平均濃度である特定成分濃度Ｃtを取得する。
【００４６】
これらの尿データの取得例として被験者等の人手で入力する場合は、全排尿量Ｖtは尿を全量目盛り付きカップで受尿しその量を目視計測し、また特定成分濃度Ｃtは対象とする特定成分濃度が計測できるイオン選択膜を有した電極により計測したものを各々入力して取得する。就寝時間帯に就寝時間帯尿がある場合は排尿の都度入力したものを累積して取得する。
【００４７】
ここで就寝時間帯の排尿である就寝時間帯尿がある場合は、一時カップ等に保管しておき起床後に測定してもよいし、起床後他の排尿と混合して、計測してもよい。
【００４８】
なお、この就寝時間帯尿には、就寝後に一時起床して行なった排尿や、就寝したままの排尿、具体的には紙おむつ者の排尿の場合などを含む。
【００４９】
また、これらの尿データの入力は手動で行うことに限らず、尿量や尿中の特定成分の濃度を測定する測定機からの測定結果出力を人手介さずに直接入力したり、インターネット経由して、遠隔地より入力するようにしてもよい。
【００５０】
特定成分排泄当量算出部では、データ取得部で得た、就寝時間帯の全排尿量Ｖt、就寝時間帯の特定成分濃度Ｃt、前記就寝経過時間ｔwの３情報から、予め設定されている規定時間ｔsとの比に基づいて規定時間当量へ換算した特定成分排泄当量Ｑsを算出する。規定時間ｔsはヒトの平均的な就寝時間範囲で、６〜１０時間が適当で、好ましくは８時間である。
【００５１】
特定成分摂取量演算部では、特定成分排泄当量算出部で算出された特定成分排泄当量Ｑs
から、一日特定成分摂取量Ｑinを算出する。あらかじめ、特定成分排泄当量Ｑsと一日特定成分摂取量Ｑinとの相関式を把握しておくことで算出される。
【００５２】
出力部は、特定成分摂取量演算部で算出された一日特定成分摂取量Ｑinが表示される。その際、全排尿量Ｖt、特定成分濃度Ｃt及び特定成分排泄当量Ｑsを表示してもよい。また、計測者に健康管理をより促すため、前記各種項目を経日的にトレンド表示してもよい。
【００５３】
図２は、本発明の成分摂取量測定装置の第２実施形態（実施例２）における構成とデータ処理を示す図である。基本構成はデータ取得部、特定成分排泄当量算出部、特定成分摂取量演算部、出力部の４部から構成される。なおここでは以下説明の便宜のため、前記特定成分摂取量演算部のうち後述する特定成分摂取量演算部はその構成に関して複数の例を比較して併記した形としている。
【００５４】
データ取得部は時間計測部と排泄量計測部からなる。時間計測部は計測の事前準備として、年月日と時刻設定をした後、被験者の生活リズムに合わせて就寝時間帯の設定を行なう。このとき、本実施例では就寝時間帯の前後に所定の時間の時間帯を各々就寝前時間帯と起床時間帯として合わせて設定を行っている。
【００５５】
図３に設定された時間帯の例を示す。就寝前時間帯が午後９時から午前０時、就寝時間帯が午前０時から午前４時、起床時間帯が午前４時から午前９時、日中時間帯が午前９時から午後９時までである。残る時間帯の午前９時から午後９時まではここでは日中時間帯としている。なお、本入力は１人の場合を記載しているが、複数人使用の場合には、各被験者別に、就寝前時間帯設定と就寝時間帯設定及び起床時間帯の設定を行う。
【００５６】
就寝時間帯は本発明の測定対象とする尿の蓄尿を行なう時間帯を選定するためのものであり、被験者の普段の生活リズムで身体を安静状態にしている確率の高い時間帯を選定する。通常は、就寝する時間帯から最低でも４時間以上の長さの時間帯を設定する。
【００５７】
ここで、就寝前時間帯と起床時間帯は本発明を適用するために必要な尿データの一つである後述の就寝経過時間ｔwを本装置が自動的に算出するために設けられた時間帯である。即ち、就寝前時間帯においては被験者の排尿を検知すると自動的にその時刻を記憶し、その後排尿が行なわれるたびに記憶した時刻を更新することによって、この時間帯での複数回の排尿のうち最も就寝時間帯に近い時刻に行なわれた排尿の時刻を取得する。また起床時間帯では最初に排尿された時刻を取得する。このように就寝時間帯の直前及び直後の時刻を取得することによって、就寝経過時間ｔwを算出する。
【００５８】
なお、この就寝前時間帯と起床時間帯以外の時間帯、即ち本実施例での日中時間帯に行なわれた排尿はたとえそれが就寝時間帯の直前及び直後の排尿であっても本発明の適用対象外の排尿として無視する。従って、その場合は、当該日の尿データは取得されずデータ欠落日として以後のデータ処理では取り扱われる。
【００５９】
以下にその具体的な例を用いて説明する。
取得された排尿時刻は、就寝前時間帯、就寝時間帯及び起床時間帯と日中時間帯のいずれかに記録される。図３の時間帯とした場合、排尿時刻が午後１１時で排尿量と特定成分濃度が取得された場合には、就寝前時間帯のデータとして記憶される。また、排尿時刻が午前３時で排尿量と特定成分濃度が取得された場合には、就寝時間帯の１つのデータとして記憶される。また、排尿時刻が午前６時に排尿量と特定成分濃度が取得された場合には、起床時間帯のデータとして記憶される。
【００６０】
排泄物計測部におけるは、まずは個人別スイッチやＲＦＩＤタグによる無線認識及びカード認証等によって、被験者の個人認識をする。次に被験者の排尿時刻と排尿量及び特定成分濃度を取得する。
【００６１】
排泄物計測部では、図３の時間帯に従い排尿時刻によって就寝時間帯か起床時間帯かに分類され各々排泄された尿の尿データが計測される。就寝時間帯の排尿回数がｎ回ある場合は、ｉ回目の就寝時間帯排尿量Ｖiとｉ回目の就寝時間帯特定成分濃度Ｃiを乗じたｉ回目の特定成分排泄量Ｑiのｎ回分までを合計したものを就寝時間帯特定成分排泄量Ｑnとする。起床時間帯では、起床後最初に排尿された尿の起床後特定成分排出量Ｑwは起床後排尿時の尿量Ｖwと起床後排尿時の特定成分濃度Ｃwを乗じて算出される。
【００６２】
特定成分排泄当量算出部は、算出された就寝時間帯特定成分排泄量Ｑnと起床後特定成分排泄量Ｑwをそれぞれ合算して特定成分排泄量Ｑtを算出する。特定成分排泄量Ｑtは起床後最初に排尿された尿までを含む就寝経過時間ｔwで排泄された全尿に含まれる特定成分寮ということになる。算出された特定成分排泄量Ｑtは、データ取得部で算出した就寝経過時間ｔwと予め設定されている規定時間ｔsとの比に基づいて規定時間当量へ換算した特定成分排泄当量Ｑsを算出する。規定時間ｔsはヒトの平均的な就寝時間範囲で、６〜１０時間が適当で、好ましくは８時間である。
【００６３】
特定成分摂取量演算部は図２に演算Ａ〜演算Ｄの４種類を示す。演算Ａでは特定成分排泄当量Ｑsから一日特定成分摂取量量Ｑinを算出する。算出は予め求めておいた特定成分排泄当量Ｑsと一日特定成分摂取量Ｑinとの相関関係により、算出される。
【００６４】
また、演算Ｂでは、特定成分排泄当量Ｑsと一日に特定成分を排泄する一日特定成分排泄量Ｑoutとの相関関係により、一日に排泄する一日特定成分排泄量Ｑoutを算出し、一日特定成分排泄量Ｑoutと一日に特定成分を摂取する一日特定成分摂取量Ｑinとの相関関係により、一日特定成分摂取量Ｑinを算出する。
【００６５】
また、演算Ｃでは、特定成分排泄当量Ｑsを日移動平均した平均した平均特定成分排泄当量Ｑsと、一日特定成分摂取量を日移動平均した平均一日特定成分摂取量Ｑinとの相関関係から、平均特定成分排泄当量Ｑsから一日に特定成分を摂取する平均一日特定成分摂取量Ｑinを直接算出する。
【００６６】
また、演算Ｄでは、平均特定成分排泄当量Ｑsと一日特定成分排泄量Ｑoutを日移動平均した平均一日特定成分排泄量Ｑoutとの相関関係と、平均一日特定成分排泄量Ｑoutと一日特定成分摂取量Ｑinを日移動平均した平均一日特定成分摂取量Ｑinとの相関関係により、平均特定成分排泄当量Ｑsから平均一日特定成分排泄量Ｑoutを算出し、平均一日特定成分排泄量Ｑoutから一日に摂取する平均一日特定成分摂取量Ｑinを算出する。
【００６７】
以下に、数式で記述する。起床後特定成分排泄量Ｑwは、起床後尿量Ｖwと起床後排尿した時の特定成分濃度Ｃwとすると、「数式１」で表される。
【００６８】
【数１】
2006126184.tif 000003
また、就寝時間帯に排尿回数がｎ回ある場合のｉ回目就寝時間帯の特定成分排出量Ｑiは、ｉ回目の就寝時間帯排尿量Ｖiとｉ回目の就寝時間帯特定成分濃度Ｃiとすると、「数式２」で表される。
【００６９】
【数２】
2006126184.tif 000004
加算特定成分排泄量Ｑtは、起床後特定成分排泄量Ｑwと就寝時間帯に排尿回数がｎ回ある場合のｉ回目の就寝時間帯特定成分排出量Ｑiとすると、「数式３」で表される。
【００７０】
【数３】
2006126184.tif 000005
加算特定成分排泄量Ｑtは、就寝経過時間ｔwと予め設定されている規定時間ｔsとの比に基づいて規定時間当量へ換算した特定成分排泄当量Ｑsを算出する。規定時間ｔsはヒトの平均的な就寝時間範囲で、６〜１０時間が適当で、好ましくは８時間である。特定成分排泄当量Ｑsは加算特定成分排泄量Ｑtと就寝前の放尿時刻から起床後尿の放尿時刻までの就寝経過時間ｔw、基準時間ｔsとすると「数式４」で表される。
【００７１】
【数４】
2006126184.tif 000006
特定成分排泄当量Ｑsは、一日特定成分摂取量Ｑinに所定の相関式で算出される。例えば、一日特定成分摂取量Ｑinは以下の「数式５」で表すことができる。
【００７２】
【数５】
2006126184.tif 000007
但し、Ａ、Ｂは、１≦Ａ≦５、０≦Ｂ≦６の定数である。また、数式５の相関式は、対数や高次関数で表すことも可能である。
【００７３】
出力部は特定成分摂取量演算部で得られた一日特定成分摂取量Ｑinを表示する。その表示形態は、その回の測定結果だけを表示したり、過去に遡った測定分もあわせて表示したり、さらにはグラフ化して表示するなど通常行なわれる種々の形態をとることが可能である。また、演算に用いられる基礎データである特定成分排泄量Ｑwや加算特定成分排泄量Ｑtなどや被験者の種々の個人情報を併せて表示してもよい。
【００７４】
以上例えば、就寝時刻１１時、起床時刻６時、起床後排尿した時の尿量Ｖwが300mL、起床後排尿した時の特定成分として塩分濃度Ｃwが5,000mg/L、規定時間ｔsが８時間、就寝時間帯の排尿回数が１回で、１回目就寝時間帯の尿量Ｖ1が200mL、１回目就寝時間帯の特定成分として塩分濃度Ｃ1が4,000mg/Lとする。就寝経過時間ｔwは就寝時刻と起床時刻の差であるから７時間である。以上の条件から、加算特定成分排泄量Ｑt（塩分）は数式１から３を用いて、「数式６」で表される。
【００７５】
【数６】
2006126184.tif 000008
次に、特定成分排泄当量Ｑs（塩分）は「数式７」を用いて算出される。
【００７６】
【数７】
2006126184.tif 000009
一日特定成分摂取量Ｑin（塩分）は「数式５」を用いて算出される。ここで、定数Ａ、Ｂはそれぞれ3.6、2.0とすると、一日特定成分摂取量Ｑin（塩分）は「数式８」で算出することができる
【００７７】
【数８】
2006126184.tif 000010
ヒトの体は摂取に応じてそのまますぐに排泄への影響とはならず、徐々に対応していく特性があり、日単位の平均化処理でより精度が高まる。
【００７８】
図４に日移動平均処理について３日間の場合について説明する。ある日の特定成分排泄当量Ｑsを０日とし、それより遡った２日間を加えた３日間の平均をしたものが、平均特定成分排泄当量Ｑsである。同様に、０日の特定成分排泄当量Ｑsに相当する一日特定成分摂取量Ｑinと、それより遡った２日間を加えた３日間の平均をしたものが、０日の平均一日特定成分摂取量Ｑinである。０日の平均特定成分排泄当量Ｑsと平均一日特定成分摂取量Ｑinとの相関関係により、平均一日特定成分摂取量Ｑinが算出される。
【００７９】
更に、別の一日特定成分摂取量Ｑin算出方法として、一日特定成分摂取量Ｑinが１から２日後の特定成分排泄当量Ｑsから算出する方法がある。摂取と排泄の間には時間的なズレが生じているのは明らかで、そのズレを考慮すれば一日特定成分摂取量Ｑinは更に高精度となる。更に、ヒトの体は摂取に応じてそのまますぐに排泄への影響とはならず、徐々に対応していく特性から日移動平均と摂取と排泄の間の時間的なズレを組合せした場合が特に好ましい。従って、平均一日特定成分摂取量Ｑinが１から２日後の平均一日特定成分排泄量Ｑsから算出されるのが特に好ましい。
【００８０】
出力部は単純出力部と経過出力部からなる。単純出力部は特定成分摂取量演算部で算出された一日特定成分摂取量Ｑinや平均一日特定成分摂取量Ｑinを表示する。また、基礎データである起床後特定成分排泄量Ｑwや加算特定成分排泄量Ｑtなど演算で得られる結果を表示してもよい。また、経過出力部は一日特定成分摂取量Ｑinや平均一日特定成分摂取量Ｑinの経日変化表示を１週間から３ヶ月程度、またはそれ以上の期間やその状況について食生活のアドバイスを液晶画面等により表示する。一日特定成分摂取量量Ｑinや平均一日特定成分摂取量Ｑinの経日的な変化傾向を確認することで、例えば塩分の場合には上昇傾向があるときは食生活が改善していないことを表示し、下降傾向があるときには食生活が改善していることを開示する。
【００８１】
また他の食生活改善方法として、特定成分として、ナトリウムとカリウムとカルシウムがある。いずれも、健康日本２１の摂取量目標値に掲げられている重要成分である。特にナトリウムとカリウムは生活習慣病と言われている高血圧症と密接な関係がある。ここで、ナトリウムは塩化ナトリウムに換算したいわゆる塩分として表記されることが多く、摂取表記として好ましい。
【００８２】
現在、平均的な日本人の塩分とカリウムの摂取量は、各々１３．５ｇ、２．５ｇとされており、健康日本２１の摂取量目標値は塩分が１０ｇ未満、カリウムが３．５ｇ以上であることから、現状は両特定成分とも改善が必要である。例えば摂取量が塩分１５ｇでカリウム５ｇの場合には「摂取塩分量が過大」と表示したり、カリウムが１ｇであれば「摂取野菜・果物類の不足」などの指標を合わせて提示することで、食生活改善の必要性の有無を簡便に判断することができる。
【００８３】
図５から図８を用いて、実測データによる特定成分が塩分の場合における一日特定成分摂取量Ｑin（塩分）と特定成分排泄量Ｑs（塩分）の相関を、特定成分排泄量Ｑs（塩分）の処理内容別に述べる。図５に規定時間ｔsを処理しない場合の未特定成分排泄当量Ｑs'（塩分）と一日特定成分摂取量Ｑin（塩分）の相関結果を示す。相関係数は０．５と統計上の相関性がない結果である。次に図６には、図５の結果から規定時間ｔsを処理した場合の特定成分排泄当量Ｑs（塩分）と一日特定成分摂取量Ｑin（塩分）の相関結果を示す。相関係数は０．６と統計上の相関が得られた結果であり、このままでも一日特定成分摂取量Ｑin（塩分）の算出は可能である。図７は図６の規定時間ｔsを処理した場合の特定成分排泄当量Ｑs（塩分）と一日特定成分摂取量Ｑin（塩分）の結果を、３日移動平均処理した場合である。相関係数は０．７と更に相関性が高まった結果である。図８は、図７の平均一日特定成分摂取量Ｑin（塩分）と平均特定成分排泄当量Ｑs（塩分）との結果を、翌日の平均特定成分排泄当量Ｑs（塩分）に換えた場合の相関結果で、相関係数は０．８と本発明では最も高まった例である。
【００８４】
図９は別の実測データを用いて、尿塩分における一日特定成分摂取量Ｑin（塩分）と特定成分排泄当量Ｑs（塩分）について、日移動平均日数を１から５日まで行った相関係数算出例である。なお、移動平均日数の１日は移動平均していないことを表している。横軸は摂取日を０日と基準とした時からの排泄経過日数を言い、例えば＋１日は０日目の摂取量と１日後の排泄量との相関である。横軸の＋１日を頂点とし、また移動平均日数と伴に相関係数の向上が明らかである。別の特定成分であるカリウムについての一日カリウム摂取量Ｑinと換算カリウム排泄量Ｑsについては、日移動平均日数は同じ傾向であるが、排泄経過日数は＋２日後と相関性が高い結果が得られている。
【００８５】
図１０は従来技術の場合として、実測データによる規定時間ｔsを処理しない場合の未特定成分排泄当量Ｑs'（塩分）による一日特定成分摂取量Ｑin（塩分）の推定値と実測値の経日変化比較を示す。一日特定成分摂取量Ｑinは図５の規定時間ｔsを処理しない場合の未特定成分排泄当量Ｑs'（塩分）と一日特定成分摂取量Ｑin（塩分）の相関より、以下の「数式９」により算出した。図１０から明らかなように、一日特定成分摂取量Ｑin（塩分）は推定値と実測値との間に、大きなズレとなっており、実際の摂取状況を反映しているとは言えない。
【００８６】
【数９】
2006126184.tif 000011
図１１は、本発明の実施例として、実測データによる平均特定成分排泄当量Ｑs（塩分）による平均一日特定成分摂取量Ｑin（塩分）の推定値と実測値の経日変化比較を示す。尚、排泄日は摂取日から＋1日後の場合である。平均一日特定成分摂取量Ｑinは図８の平均特定成分排泄当量Ｑs（塩分）と平均一日特定成分摂取量Ｑin（塩分）の相関より、以下の「数式１０」により算出した。
【００８７】
【数１０】
2006126184.tif 000012
図１１から明らかなように、平均一日特定成分摂取量Ｑin（塩分）は推定値と実測値との間は良く追従しており、実際の摂取状況を反映していると言える。
【００８８】
図１２は、本発明の成分摂取量測定装置の第３実施形態（実施例３）における構成と尿データの処理の流れを示す図である。本実施例では排泄された尿の特定成分濃度の代わりに尿の導電率と尿に含まれる特定成分の量との相関関係を利用して尿中の特定成分の排泄量を求めるものである。従って、尿成分センサーとして尿の導電率を測定するタイプのセンサーを使用している。その他の基本構成は実施例１とほぼ同じであるため、異なる点のみ説明する。
【００８９】
データ取得部の排泄物計測部は特定成分濃度Ｃwの替わりに導電率κwを取得する。ここで導電率と尿量を乗じた値を導電排泄量Ｋtとする。導電排泄当量算出部は、就寝経過時間ｔwと予め設定されている規定時間ｔsとの比に基づいて特定成分排泄量を規定時間当量へ換算するが、実施例１の特定成分排泄量の替わりに導電排泄量Ｋtを規定時間当量に換算した導電排泄当量Ｋsを算出する。特定成分摂取量演算部は導電排泄当量Ｋsから一日特定成分摂取量Ｑinを算出する。算出は予め求めておいた導電排泄当量Ｋsと一日特定成分摂取量Ｑinとの相関関係により、一日特定成分摂取量Ｑinが算出する。
【００９０】
図１３は本発明の３日移動平均処理した場合の平均導電排泄当量Ｋsと＋１日ずらした３日移動平均処理した場合の平均１日特定成分摂取量Ｑinとして塩分の相関図である。平均導電排泄当量Ｋsが摂取塩分量と相関係数0.7の高い相関性を得、摂取塩分量の推定可能性を示している。
【００９１】
図１４は、本発明の成分摂取量測定装置の第４実施形態（実施例４）を示す。大便器ユニット１は、洋風大便器１１、便座２１と便ふた２２を回動自在に係止した便座装置本体２、尿量測定部４と装置全体の動作を制御する制御部５と、排泄された尿中に含まれる特定成分の定性・定量測定を行なう尿成分測定部９とを内蔵する機構ユニットキャビネット３、および、前記洋風大便器１１の上面であるリム面１４に取り付けられる採尿装置６によって構成されている。洋風大便器１１の内側には、被験者の排泄物を受ける溜水１３を貯えるボール面１２が構成されている。採尿装置６の上面には、便座２１が当接している。溜水１３はトラップ部１５を介して図示しない下水配管と連通している。ボール面１２の底部には、トラップ部１５に吐水方向を向けているゼット吐水ノズル７が構成されている。ゼット吐水ノズル７からの吐水は、トラップ部１５において負圧を発生させ、その負圧によって生じたサイホン現象によって、溜水１３を被験者の排泄物と共に下水配管に送出するようになっている。
【００９２】
またリム面１４に配置された採尿装置６は、被験者の尿を採取する採尿器６１、ボール面１２内部を回動させる採尿アーム６２、および、駆動動作を行う採尿ユニット６０で構成されている。採尿装置６の内部には、特定成分の定性・定量測定を行なう尿成分測定部９に採尿した尿を送出したり、測定に伴って排出される廃液を溜水１３に戻すための配管部材や、採尿アーム６２を動作させる機構部の制御配線が内蔵されている。
【００９３】
尿成分測定部９は、バイオセンサーや電気化学センサーや物理量計測センサーをはじめとする各種生体情報センシング手段が組み込まれても良いし、他の大型臨床検査装置で測定すべく検体を採取して容器に所定量だけ備蓄するような方法であっても良い。なお採尿装置６の外郭は、排泄物や水との接触を配慮して、抗菌性のある材質を選定したり、撥水性のある処理を実施しておけば清掃性がより向上する。本例において尿成分測定部９は機構ユニットキャビネット３に内蔵されている例を示したが、項目の一部は採尿器６１中で実施しても良く、尿中に含まれる電解質濃度のような項目は直接に接尿する部材である採尿装置６中に配置したセンシング手段で測定すると、高精度な測定が期待できる。
【００９４】
壁には遠隔操作装置５０が設けられている。被験者の局部を衛生洗浄に関する機能は衛生洗浄装置リモコン５１、および、被験者の尿成分測定に関する機能は尿成分測定部リモコン５２で各々操作される。尿成分測定結果はプリンター５３によって出力される。
【００９５】
測定結果は、被験者が個人的な生体情報として管理するだけでなく、医療スタッフが医療行為に使用することもできる。また、測定結果の出力先は、紙面だけでなく、情報伝送のための無線や有線の通信回線であったり、ＲＦＩＤタグやＩＤカードや磁気カードや半導体メモリーなどの携帯性を持った外部記憶媒体であったり、装置内部で情報を記憶する半導体メモリーやハードディスクなどの内部記憶媒体であってもよい。
【００９６】
採尿ユニット６０は、先端に被験者の尿を受ける採尿器６１が構成され、ボール面１２の内部を回動する採尿アーム６２によって、被験者の尿を空中で採取するようになっている。採尿器６１の内部には、所定の特定成分濃度を測定するためのセンシング手段が配置され、尿検知の所定時間後に採尿アーム６２が回動し、尿かかりのない安定条件下で採尿器６１内のセンシング手段により計測される。特定成分が電解質の場合はセンシング方法として、導電率を測定して換算する方式やイオンセンサー方式など、通常用いられている各種センシング方式が採用可能である。
【産業上の利用可能性】
【００９７】
本発明は、特定成分排泄量から摂取状況を算出するアルゴリズムで、家庭でかつ測定しやすい起床時尿を利用しているため、昼間働いているヒトにまで利用可能である。中高年以上での生活習慣病や食事量過多による肥満等の病気予防に向けた在宅予防機器に関する特許である。
【図面の簡単な説明】
【００９８】
【図１】本発明の成分摂取量測定装置の第１実施形態（実施例１）における構成を示すフロー図である。
【図２】本発明の成分摂取量測定装置の第２実施形態（実施例２）における構成を示すフロー図である。
【図３】本発明の時間帯の例を示した図である。
【図４】本発明の日移動平均処理を説明する概要図である。
【図５】本発明の規定時間ｔsを処理しない場合の加算特定成分排泄量Ｑt（塩分）と一日特定成分摂取量Ｑin（塩分）の相関図である。
【図６】本発明の規定時間ｔsを処理した場合の特定成分排泄当量Ｑs（塩分）と一日特定成分摂取量Ｑin（塩分）の相関図である
【図７】図６を３日移動平均処理した場合の平均特定成分排泄当量Ｑs（塩分）と平均一日特定成分摂取量Ｑin（塩分）の相関図である。
【図８】図７の平均一日特定成分摂取量Ｑin（塩分）と平均特定成分排泄当量Ｑs（塩分）との結果を、翌日の平均特定成分排泄当量Ｑs（塩分）に換えた場合の相関図である。
【図９】本発明の一日特定成分摂取量Ｑin（塩分）と特定成分排泄当量Ｑs（塩分）について、移動平均日数を１から５日までと、一日特定成分摂取量Ｑin（塩分）を０日としたときの特定成分排泄当量Ｑs（塩分）をー３日から＋４日まで変化させた時の相関係数算出図である。
【図１０】本発明の規定時間ｔsを処理しない場合の加算特定成分排泄量Ｑt（塩分）から一日特定成分摂取量Ｑin（塩分）の推定値と実測値の比較図である。
【図１１】本発明の翌日の平均特定成分排泄当量Ｑs（塩分）から平均一日特定成分摂取量Ｑin（塩分）の推定値と実測値の比較図である。
【図１２】本発明の成分摂取量測定装置の第３実施形態（実施例３）における構成を示すフロー図である。
【図１３】本発明の３日移動平均処理した場合の平均導電排泄当量Ｋsと＋１日ずらした３日移動平均処理した場合の平均１日特定成分摂取量Ｑinとして塩分の相関図である。
【図１４】本発明の成分摂取量測定装置を大便器に組み込んだ第４実施形態（実施例４）における外観斜視図である。
【符号の説明】
【００９９】
１      大便器ユニット
２      便座装置本体
３      機構ユニットキャビネット
４      尿量測定部
５      制御部
６      採尿装置
７      ゼットノズル
８      リム吐水ノズル
９      尿成分測定部
１０    水路切替手段
１１    洋風大便器
１２    ボール面
１３    溜水
１４    リム面
１５    トラップ部
１６    排水ソケット
１７    排水アダプタ
１８    スタータータンク
１９    洗浄タンク
２１    便座
２２    便ふた
５０    遠隔操作装置
５１    衛生洗浄装置リモコン
５２    尿成分測定部リモコン
５３    プリンター
６０    採尿ユニット
６１    採尿器
６２    採尿アーム
Ｃi      就寝時間帯に排尿回数がｎ回ある場合のｉ回目に排尿された尿の特定成分濃度
Ｃw      起床時間帯の最初に排尿された尿の特定成分濃度
Ｃt      起床後最初の排尿を含む就寝経過時間中の特定成分濃度
ｎ      就寝時間帯の排尿回数
Ｑi      就寝時間帯の排尿回数がｎ回ある場合のｉ回目に排尿された尿の特定成分排泄量
Ｑn      就寝時間帯特定成分排泄量
Ｑin    一日特定成分摂取量
Ｑin    平均一日特定成分摂取量
Ｑout    一日特定成分排泄量
Ｑout    平均一日特定成分排泄量
Ｑs      特定成分排泄当量
Ｑs      平均特定成分排泄当量
Ｑt      特定成分排泄量
Ｑw      起床時間帯特定成分排泄量
ｔw      就寝経過時間
ｔs      規定時間
Ｖi      就寝時間帯に排尿回数がｎ回ある場合のｉ回目に排尿された尿の尿量
Ｖw      起床時間帯の最初に排尿された尿の尿量    
Ｖt      起床後最初の排尿を含む就寝経過時間中の全排尿量  
κw      起床時間帯の最初に排尿された尿の導電率
Ｋs      導電排泄当量
Ｋs      平均導電排泄当量
Ｋt      導電排泄量
【図１】
2006126184.tif 000013
【図２】
2006126184.tif 000014
【図３】
2006126184.tif 000015
【図４】
2006126184.tif 000016
【図５】
2006126184.tif 000017
【図６】
2006126184.tif 000018
【図７】
2006126184.tif 000019
【図８】
2006126184.tif 000020
【図９】
2006126184.tif 000021
【図１０】
2006126184.tif 000022
【図１１】
2006126184.tif 000023
【図１２】
2006126184.tif 000024
【図１３】
2006126184.tif 000025
【図１４】
2006126184.tif 000026